(57)【要約】  【課題】絞りリングのカム溝と絞り羽根の連結ピンとの相対的な形状を工夫することによって、衝撃等が加わっても、連結ピンがカム溝から抜けないようにしたカメラ用絞り装置を提供すること。  【解決手段】６枚の絞り羽根４は、軸ピン４ａを地板１の孔に対して回転可能に嵌合させている。絞りリング３は、六つのカム溝３ａを有していて、各絞り羽根４に設けられた連結ピン４ｂをそれらに嵌合させている。連結ピン４ｂの先端には鍔部４ｃが形成されているため、絞り開口制御範囲内では、衝撃等が加わっても、連結ピン４ｂがカム溝３ａから抜けることはないが、製作時や修理時に、絞りリング３を絞り開口制御範囲外まで回転させたときには、鍔部４ｃがカム溝３ａをくぐり得るようになって、連結ピン４ｂをカム溝３ａに嵌合させたり離脱させたりすることが可能になる。【選択図】  図１
2007121592.tif 000002
【特許請求の範囲】
【請求項１】
撮影光路用の開口部の周囲で往復回転可能に配置されていて細長い複数のカム溝を略等角度間隔となるように形成しており撮影に際しては最大絞り開口制御位置と最小絞り開口制御位置との間の絞り開口制御範囲内で回転させられ所定の制御位置で停止させられる絞りリングと、前記開口部を囲む略等角度間隔位置で回転可能に配置されていて各々が前記カム溝に嵌合させる連結ピンを有しており前記絞りリングの制御位置に対応した絞り開口を協働して規制すると共に該連結ピンの先端には鍔部が形成されていて前記絞りリングが前記絞り開口制御範囲外の所定の位置まで回転したときだけ前記カム溝に対する該連結ピンの嵌合・離脱を可能にされている複数枚の絞り羽根と、を備えていることを特徴とするカメラ用絞り装置。
【請求項２】
前記カム溝の幅は、前記絞りリングが前記絞り開口制御範囲外の所定の位置まで回転したとき、前記連結ピンと対応する部位だけが、前記鍔部がくぐり得るように、大きく形成されていることを特徴とする請求項１に記載のカメラ用絞り装置。
【請求項３】
前記カム溝の幅は、いずれの長さ位置でも略同じであり、前記鍔部は、前記絞りリングが前記絞り開口制御範囲外の所定の位置まで回転したときだけ、前記カム溝をくぐり得る形状に形成されていることを特徴とする請求項１に記載のカメラ用絞り装置。
【発明の詳細な説明】
【技術分野】
【０００１】
本発明は、スチルカメラやビデオカメラに用いて好適な絞り装置に関する。
【背景技術】
【０００２】
カメラ用絞り装置の中には、複数枚の絞り羽根が、撮影光路用の開口部の周囲において、地板等の固定部材に対して略等角度間隔で回転可能に取り付けられていて、その開口部の周囲に配置された絞りリングの往復回転によって、同時に同方向へ回転させられるようになっており、それらの絞り羽根の協働により絞り開口を規制するようにしたものがある。そして、絞りリングに対する複数の絞り羽根の連結構成は、絞りリングに、略等角度間隔となるようにして細長い複数のカム溝を形成しておき、それらに、各絞り羽根に設けられた連結ピンを嵌合させるようにしているのが一般的である。
【０００３】
本発明は、このようなタイプの絞り装置に関するものであるが、このタイプの絞り装置であって、絞りリングの駆動源としてステップモータを用いたものが、下記の特許文献１，２に記載されている。また、最近ではカメラの薄型化が進んでおり、絞り装置についても全体の構成を薄型化することが要求されている。そのため、その要求に応えるための一つの方法として、撮影レンズを絞り羽根の作動面に出来るだけ近接して配置させ得るようにするため、絞りリングの、絞り羽根を配置していない方の面を撮影レンズ側にかなり露出させるようにした構成が特許文献２に記載されている。
【０００４】
【特許文献１】特開２００２−２５８３４７号公報
【特許文献２】特開２００１−２８１５１３号公報
【発明の開示】
【発明が解決しようとする課題】
【０００５】
ところで、このタイプの従来の絞り装置は、特許文献１，２の記載からも分かるように、絞りリングのカム溝の幅は、その全長にわたって略同じであり、また、絞り羽根の連結ピンは、円柱形をしていて、その直径はカム溝の幅より若干小さい。そのため、組立時には、連結ピンとカム溝とは、カム溝の長さ方向のどの部位においても嵌合させることが可能になっている。しかしながら、言い換えれば、そのことは、何らかの手段を講じておかないと、組立後における落下試験等によって絞り装置に何らかの大きな衝撃が加わったとき、連結ピンがカム溝から抜け易い構成であるといえる。ところが、従来は、特許文献１に記載されているように、絞りリングの、絞り羽根を配置していない方の面は、地板などの板部材によって全面的に覆われ、十分に押さえられていたため、連結ピンがカム溝から抜けるような心配は全くなかった。
【０００６】
しかしながら、特許文献２に記載のように、撮影レンズを絞り羽根の作動面に出来るだけ近接して配置させるために、絞りリングの、絞り羽根を配置していない方の面を大きく覆わず、かなりの面を露出させるような構成にした場合は、絞りリングが比較的薄い部材であるということもあって、衝撃が加わるとしなってしまい、連結ピンがカム溝から抜けてしまうことがある。それだからといって、連結ピンの長さを長くして、絞りリングがしなっても抜けないようにしようとすると、特許文献２に記載の実施態様からも分かるように、連結ピンの先端が邪魔になって、撮影レンズを絞り羽根の作動面に近接させることができなくなり、絞りリングを露出させる構成にした意味がなくなってしまう。そのため、衝撃等が加わっても、絞り羽根の連結ピンが絞りリングのカム溝から抜ける心配のない構成の実現が望まれている。また、そのような構成が実現すれば、特許文献１に記載されているような、地板が絞りリングを覆った構成の場合にも、地板の形状設計が容易になる。
【０００７】
本発明は、このような問題点を解決するためになされたものであり、その目的とするところは、絞りリングが複数枚の絞り羽根を同時に同方向へ回転させて絞り開口の大きさを変化させるようにした絞り装置において、絞りリングのカム溝と絞り羽根の連結ピンとの相対的な形状を工夫することによって、衝撃等が加わっても、絞り羽根の連結ピンが絞りリングのカム溝から抜けない構成にし、必要によっては、撮影レンズを絞りリングに近接させて配置することも可能にしたカメラ用絞り装置を提供することである。
【課題を解決するための手段】
【０００８】
上記の目的を達成するために、本発明のカメラ用絞り装置は、撮影光路用の開口部の周囲で往復回転可能に配置されていて細長い複数のカム溝を略等角度間隔となるように形成しており撮影に際しては最大絞り開口制御位置と最小絞り開口制御位置との間の絞り開口制御範囲内で回転させられ所定の制御位置で停止させられる絞りリングと、前記開口部を囲む略等角度間隔位置で回転可能に配置されていて各々が前記カム溝に嵌合させる連結ピンを有しており前記絞りリングの制御位置に対応した絞り開口を協働して規制すると共に該連結ピンの先端には鍔部が形成されていて前記絞りリングが前記絞り開口制御範囲外の所定の位置まで回転したときだけ前記カム溝に対する該連結ピンの嵌合・離脱を可能にされている複数枚の絞り羽根と、を備えているようにする。
【０００９】
その場合、前記カム溝の幅は、前記絞りリングが前記絞り開口制御範囲外の所定の位置まで回転したとき、前記連結ピンと対応する部位だけが、前記鍔部がくぐり得るように、大きく形成されているようにするとよい。また、前記カム溝の幅は、いずれの長さ位置でも略同じであり、前記鍔部は、前記絞りリングが前記絞り開口制御範囲外の所定の位置まで回転したときだけ、前記カム溝をくぐり得る形状に形成されているようにしてもよい。
【発明の効果】
【００１０】
本発明は、絞りリングが複数枚の絞り羽根を同時に同方向へ回転させて絞り開口の大きさを変化させるようにした絞り装置において、絞り羽根に設けられた連結ピンの先端に鍔部を形成し、絞りリングが絞り開口制御範囲外の所定の位置まで回転したときだけ、連結ピンを絞りリングのカム溝に嵌合・離脱可能としたので、組立後において、衝撃等が加わっても、連結ピンがカム溝から抜けることがない。そのため、絞りリングを取り付けるための構成設計が簡単になる。また、絞りリングの、絞り羽根を配置していない方の面を大きく覆う必要もなくなるので、そのようにした場合には、撮影レンズを絞り羽根の作動面に近接して配置するのに有利な構成となり、カメラの薄型化に寄与することが可能になる。
【発明を実施するための最良の形態】
【００１１】
本発明の実施の形態を、図示した実施例によって説明する。尚、図１は、絞りリングが初期位置にあって、絞り羽根が撮影光路用の開口部を全開にしている状態を示した平面図である。また、図２は、実施例の要部断面図であるが、ステップモータの構成を理解し易くするために、その構成部だけは展開状態にして示したものである。また、図３は、絞りリングが、図１の初期位置から時計方向へ回転させられ、絞り羽根が最小絞り開口を規制している状態を示した平面図であり、図４は、絞りリングが図３の状態から若干時計方向へ回転させられた状態を示した平面図である。そして、それらのうち、図１，図３，図４は、図２の下方から見た平面図である。
【実施例】
【００１２】
先ず、本実施例の構成を、図１及び図２を用いて説明する。本実施例の地板１とカバー板２は、いずれも合成樹脂製であり、それらの外形は略同じ形状をしていて、図示していない手段によって相互に取り付けられている。そのため、図１においては、地板１の外形がカバー板２の外形と重なって実際には見えないことになるが、カバー板２の左下側の一部を便宜的に破断し、地板１の外形の一部が見えるようにしてある。そして、地板１とカバー板２には、それらの中央部に円形をした開口部１ａ，２ａが略同心となるように形成されている。そのうち、直径の小さい方の開口部１ａが、撮影光路用の開口部を規制するための開口部、即ち、最大絞り開口を規制するための開口部となっている。また、開口部２ａは、カバー板２に隣接して配置される図示していない撮影レンズを、後述する絞り羽根の作動面に近接して配置させ得るようにするために、開口部１ａよりもかなり大きな直径となるように形成されている。
【００１３】
地板１とカバー板２との間には、カバー板２側に絞りリング３が配置され、地板１側に合成樹脂製であって全て同じ形状をした６枚の絞り羽根４が配置されている。そのうち、絞りリング３は、開口部１ａの周囲で往復回転可能に配置されており、開口部１ａを中心にして略等角度間隔となるようにして形成された細長い円弧状をしている六つのカム溝３ａと、外周部の所定の角度範囲に形成された歯部３ｂを有している。
【００１４】
他方、合成樹脂製の６枚の絞り羽根４は、開口部１ａを囲む略等角度間隔位置に配置されており、地板１側に軸ピン４ａを有し、絞りリング３側に連結ピン４ｂを有している。そして、軸ピン４ａを、地板１に形成されている孔に回転可能に嵌合させ、連結ピン４ｂを、絞りリング３のカム溝３ａに嵌合させている。また、連結ピン４ｂの先端部は鍔部４ｃとして形成されているが、その鍔部４ｃは、径方向に対称となるように突き出して形成されていて、平面形状が扇風機のファンに似た二つの部位を有しており、図１の状態では、その鍔部４ｃがカム溝３ａの縁に引っ掛かり、連結ピン４ｂが、カム溝３ａから、その軸方向へは抜けないようになっている。尚、図１においては、鍔部４ｃの外形線の外側に、扇風機の羽根形状をした平行線が示されているが、それらの線は、一体成形加工技術上、絞り羽根４の羽根面に形成された孔の縁を示したものであって、本実施例の機能には何の関係もないものである。
【００１５】
本実施例における駆動手段は、特許文献１，２に記載されているタイプの周知のステップモータである。そして、回転子５は、図２から分かるように、合成樹脂製の軸部５ａと、その軸部５ａに取り付けられていて径方向に４極に着磁された円筒形の永久磁石５ｂと、その軸部５ａと一体成形で形成された出力歯車５ｃとで構成されており、地板１に立設された軸１ｂに回転可能に取り付けられている。
【００１６】
他方、固定子は、図示していない手段によって地板１に取り付けられている全体としてＵ字形をした二つのヨーク６，７と、各々のヨーク６，７の一方の脚部に嵌装されているボビン８，９に巻回されたコイル１０，１１とで構成されており、ヨーク６，７は、各々の二つの脚部の先端を磁極部とし、それらを、地板１に形成された孔に挿入し、永久磁石５ｂの円周面に対向させている。更に、減速歯車１２は、親歯車と子歯車とからなる２段歯車であって、地板１に設けられた軸１ｃに回転可能に取り付けられており、親歯車を回転子５の出力歯車５ｃに噛合させ、子歯車を絞りリング３の歯部３ｂに噛合させている。
【００１７】
次に、主に、図１及び図３を用いて、本実施例の作動を説明する。図１は、絞りリング３が初期位置にある撮影待機状態を示したものであり、絞りリング３にとっては、この初期位置が最大絞り開口制御位置であって、６枚の絞り羽根４を、開口部１ａの全開状態にさせている。そのため、一眼レフカメラの場合には、光学ファインダによって被写体像の観察が可能になっている。また、光学ファインダを備えていないデジタルカメラの場合には、液晶ファインダによって被写体像の観察が可能になっている。このような図１の状態において、レリーズボタンを押すと、測光回路の測定結果にもとづき絞り値が決定される。その結果、最大絞り開口で撮影を行うことに決定した場合は、コイル１０，１１に対してパルス信号を与えず、図１の状態のままで撮影が行われる。従って、撮影が終了したときにもこの状態のままである。
【００１８】
他方、その他の絞り開口で撮影することに決定した場合は、それに対応したパルス信号がコイル１０，１１に与えられる。それによって、回転子５は、図１において時計方向へ回転させられ、出力歯車５ｃ，減速歯車１２を介して、絞りリング３を時計方向へ回転させる。そのため、絞りリング３は、カム溝３ａが連結ピン４ｂを押すことによって、６枚の絞り羽根４を同時に反時計方向へ回転させ、開口部１ａに進入させていく。そして、６枚の絞り羽根４が協働して絞り開口を小さくしてゆき、所定の絞り開口制御位置に達すると、コイル１０，１１に対するパルス信号が断たれ、回転子５の回転が停止する。図３は、そのようにして、回転子５が、最小絞り開口の制御位置で停止した状態を示したものである。
【００１９】
このようにして所定の絞り開口が得られた状態で撮影が終了すると、コイル１０，１１に対して逆転のパルス信号が与えられる。それによって、回転子５は、反時計方向へ回転し、絞りリング３を反時計方向へ回転させるが、そのとき、カム溝３ａが連結ピン４ｂを先ほどとは逆の方向へ押すので、６枚の絞り羽根４は、同時に時計方向へ回転して、開口部１ａから退いていく。その後、開口部１ａが全開になると、コイル１０，１１に対するパルス信号が断たれ、絞りリング３が初期位置で停止することによって、図１に示された次の撮影の待機状態に復帰したことになる。
【００２０】
ところで、本実施例の場合には、図１の状態では、連結ピン４ｂの鍔部４ｃが絞りリング３のカム溝３ａの縁に引っ掛かり、連結ピン４ｂが、カム溝３ａから軸方向へ抜けないようになっている。そのため、どのような衝撃が加わっても、両者の連結関係は維持される。本実施例の場合には、このような連結ピン４ｂとカム溝３ａとの連結関係は、図１に示された状態のときだけでなく、少なくとも絞りリング３が、最大絞り開口制御位置と最小絞り開口制御位置との間の絞り開口制御範囲内にある限り、維持されるようになっている。このことは、途中の位置にある状態を詳しく図解して説明するまでもなく、図１に示された状態から図３に示された状態に到るまでの両者の相対位置関係の変化を想定してみれば分かることである。
【００２１】
そこで、このような連結ピン４ｂとカム溝３ａと連結関係が、製作上、どのようにして得られたのかを説明することにする。図４は、絞りリング３が、図３に示された最小絞り開口制御位置からさらに時計方向へ回転させられた状態を示したものである。即ち、この状態は、絞りリング３が、絞り開口制御範囲外へ回転させられた状態であって、絞り装置を製作する段階か、修理する段階でしか得られない状態である。そして、このとき、連結ピン４ｂは、鍔部４ｃも含めて、カム溝３ａ内に臨んでおり、鍔部４ｃがカム溝３ａの縁に引っ掛からず、カム溝３ａをくぐり得る状態になっている。従って、この状態においては、地板１にカバー板２を取り付けていなければ、連結ピン４ｂに対してカム溝３ａを嵌合させたり、離脱させたりすることが可能ということになる。
【００２２】
尚、本実施例の場合には、鍔部４ｃが扇風機のファン形状をした部位を二つ有していて、それらがカム溝３ａの両方の縁に引っ掛かるようにしているが、ファン形状をした部位を一つだけにし、それがカム溝３ａのいずれか一方の縁に引っ掛かるようにしても差し支えない。また、本発明は、鍔部４ｃの形状を、例えば連結ピン４ｂの直径よりも大きな円形に形成しても構わない。しかしながら、その場合には、図４の状態にしたときに、その鍔部に対応した位置にくるカム溝３ａの形状を、その鍔部がくぐり抜け得る形状にする必要がある。また、本実施例の場合には、絞りリング３が、最小絞り開口位置を越えて絞り開口制御範囲外へ回転したときだけ、鍔部４ｃがカム溝３ａをくぐり抜け得るようにしているが、本発明は、そのような構成に限定されず、最大絞り開口位置を越えて絞り開口制御範囲外へ回転したときだけ、くぐり抜け得るようにしてもよいし、絞り開口制御範囲外の両方でくぐり抜け得るようにしてもよい。
【００２３】
更に、本実施例は、絞り羽根４の作動面に、撮影レンズを近接させ得るようにするために、カバー板２に大きな円形の開口部２ａを形成し、連結ピン４ｂが目視できるところまで、絞りリング３を露出させている。このような構成にした場合、従来であれば、絞りリング３のガタツキや変形を抑えるために、カバー板２による絞りリング３の押さえ構成を高精度にする必要があったが、本実施例の場合には、上記したように絞り開口制御範囲内においては、連結ピン４ｂがカム溝３ａから絶対に抜けないので、所定の回転さえ行えれば、絞りリング３の押さえ精度を若干緩くしてもよいことになる。そして、そのような作用効果は、カバー板２で絞りリング３を完全に覆ってしまう構成の場合にも得られることである。従って、本発明は、実施例のような、カバー板２の開口部２ａを、絞りリング３を露出する大きさにした絞り装置に限定されず、カバー板２で絞りリング３を覆ってしまうようにした絞り装置にも適用される。
【図面の簡単な説明】
【００２４】
【図１】絞りリングが初期位置にあって、絞り羽根が撮影光路用の開口部を全開にしている状態を示した実施例の平面図である。
【図２】実施例の要部断面図であるが、ステップモータの構成を理解し易くするために、その構成部だけは展開状態にして示したものである。
【図３】絞りリングが、図１の初期位置から時計方向へ回転させられ、絞り羽根が最小絞り開口を規制している状態を示した平面図である。
【図４】絞りリングが図３の状態から若干時計方向へ回転させられた状態を示した平面図である。
【符号の説明】
【００２５】
１                            地板
１ａ，２ａ                    開口部
１ｂ，１ｃ                    軸
２                            カバー板
３                            絞りリング
３ａ                          カム溝
３ｂ                          歯部
４                            絞り羽根
４ａ                          軸ピン
４ｂ                          連結ピン
４ｃ                          鍔部
５                            回転子
５ａ                          軸部
５ｂ                          永久磁石
５ｃ                          出力歯車
６，７                        ヨーク
８，９                        ボビン
１０，１１                    コイル
１２                          減速歯車
【図１】
2007121592.tif 000003
【図２】
2007121592.tif 000004
【図３】
2007121592.tif 000005
【図４】
2007121592.tif 000006